(57)【要約】【課題】特定のコンテンツサービスを利用者の利用形態に応じた細かいサービスで提供する。【解決手段】通信制御装置２０は、携帯端末１５から通知された位置情報に基づいて、携帯端末１５の移動先を予測し、予測した位置における通信品質に基づいたデータレートにより、携帯端末１５へのデータ送信を行う。これにより、データ配信側では、送出したデータを受信する時刻に携帯端末が存在するであろう場所の通信品質に基づくデータレートでデータを送信する。【選択図】　図１
2004064538.tif 000002
【特許請求の範囲】
【請求項１】
位置情報と、該位置における通信品質情報とを予め対応付けて格納する記憶手段と、
携帯端末の位置情報に基づいて、該携帯端末が所定のデータを受け取る位置を予測する位置予測手段と、
前記予測位置における通信品質情報を前記記憶手段から参照する通信品質参照手段と、
参照した通信品質情報に基づいて、前記所定のデータを送信する伝送レート又はパケット長を制御する通信制御手段と
を具備する通信制御装置。
【請求項２】
携帯端末が通知する通信品質情報と前記位置情報に基づいて、前記記憶手段に格納された通信品質情報を更新する更新手段を備えることを特徴とする請求項１に記載の通信制御装置。
【請求項３】
携帯端末の位置情報に基づいて、該携帯端末が所定のデータを受け取る位置を予測する第１の過程と、
予め位置と対応付けて通信品質情報を格納しているデータベースから前記予測位置における通信品質情報を参照する第２の過程と、
該予測位置における通信品質情報に基づいて、前記所定のデータを送信する伝送レート又はパケット長を制御する第３の過程と
を具備する通信制御方法。
【請求項４】
携帯端末と、該携帯端末と無線ネットワークとの間の通信を制御する通信制御装置とからなる無線通信システムであって、
前記携帯端末は、
位置を特定するための第１の信号を受信する受信手段と、
前記受信した第１の信号に基づいて第２の信号を前記通信制御装置へ送信する送信手段とを備え、
前記通信制御装置は、
位置情報と該位置における通信品質情報とを対応付けて格納する記憶手段と、
前記携帯端末から受信した前記第２の信号に基づいて、該携帯端末が所定のデータを受け取る位置を予測する位置予測手段と、
前記予測位置における通信品質情報を前記記憶手段から参照する通信品質参照手段と、
参照した通信品質情報に基づいて、前記所定のデータを送信する伝送レート又はパケット長を制御する通信制御手段とを備える
ことを特徴とする無線通信システム。
【請求項５】
位置特定のための第１の信号を受信する受信手段と、
前記受信した第１の信号に基づいて第２の信号を送信する送信手段と、
該第２の信号に基づいて制御された所定の形式でデータを受信処理できるよう制御する制御手段と、
を具備する携帯端末。
【発明の詳細な説明】
【０００１】
【発明の属する技術分野】
本発明は、移動体通信網を含む通信網に対して発着信して通話およびデータ通信を行う携帯端末を使用したネットワークシステムに関する。
【０００２】
【従来の技術】
図５は、ＰＤＣやＰＨＳなどを利用した一般的な移動体通信システムの構成を示す図である。
同図に示すように、携帯電話機３１は無線回線を介して無線基地局３２に接続され、該無線基地局３２から基地局制御装置３３を介して移動交換機３６に接続され、該移動交換機３６から更にＰＳＴＮ網、ＩＳＤＮ網、移動通信網などの通信網３７に接続される。
【０００３】
このような移動体通信システムでは、携帯電話機３１が常に移動することを考慮して、ネットワーク上にＨＬＲ（Ｈｏｍｅ　Ｌｏｃａｔｉｏｎ　Ｒｅｇｉｓｔｅｒ）３４やＶＬＲ（Ｖｉｓｉｔｏｒ　Ｌｏｃａｔｉｏｎ　Ｒｅｇｉｓｔｅｒ）３５が設けられ、これらのＨＬＲ３４やＶＬＲ３５を利用して待ち受け状態における携帯電話機３１のおおよその位置（基地局のどのセルに存在しているのか）をデータベースに登録している。
しかしながら、このような位置情報は、発信端末と着信端末の位置関係に対応して課金するために、また、着呼報知をする基地局を判断するためなどに用いられており、この場合の位置の分解能は無線基地局の制御装置単位のレベルと考えられ、細かい位置情報の把握は不向きである。
【０００４】
一方、携帯端末の正確な位置を測定する方法として、携帯端末と幾つかの異なった基地局との間に伝送された信号に基づいて伝播時間測定、到達時間（ＴＯＡ：Ｔｉｍｅ　ｏｆ　Ａｒｒｉｖａｌ）測定、又は到達の時間差（ＴＤＯＡ：Ｔｉｍｅ　Ｄｉｆｆｅｒｅｎｃｅ　ｏｆ　Ａｒｒｉｖａｌ）を使用して携帯端末の位置を測定する移動通信システムが開示されている。例えばＴＯＡ方式の測位においては、特定の基地局から携帯端末までの距離を半径とする円を描き、同様にこれを幾つかの異なった基地局で行い各々の円の交差点を決定することで位置を求める。また、ＴＤＯＡ方式の測位においては、２つの基地局間の到達時刻の差分を求め、双曲線を描き、同様にこれを少なくとも一方が異なった基地局間で行い、各々双曲線の交差点を決定することで位置を求める。
【０００５】
また、正確な位置を測定する方法として、衛星を使用した測位システムであるＧＰＳ（Ｇｌｏｂａｌ　Ｐｏｓｉｔｉｏｎｉｎｇ　Ｓｙｓｔｅｍ）が普及しはじめている。このＧＰＳを搭載した端末は３個以上の衛星から電波を受信することにより上述したような三角測量の原理で端末の絶対位置を例えば１００ｍ程度の分解能で測定することができるものである。また、ＤＧＰＳ（Ｄｉｆｆｅｒｅｎｔｉａｌ　ＧＰＳ）を用いることにより、更に高い精度の位置情報を得ることも可能である。
【０００６】
最近では、ＧＰＳ機能が搭載された携帯電話機が商品化され、携帯電話機はＧＰＳ機能を利用することにより測位情報を補正するためのデータを受信したり、簡易ナビゲーションをするために用いられたりしている。
【０００７】
ところで、近年の移動体通信システムは、ネットワークを介してインターネット上のＷＷＷサーバが接続されている。これにより携帯電話機は搭載されたブラウザ機能によりＷＷＷサーバのコンテンツをダウンロードしたり、ストリーミングによりリアルタイム映像を閲覧したりすることができる。尚、ここで、サーバはインターネットにおけるＴＣＰ／ＩＰに準拠したＷＷＷサーバ、ｉモードやＷＡＰ用プロトコルに準拠したサーバなどが挙げられる。
【０００８】
また、移動体通信システムの１つの規格として基地局から通信端末への下り回線の伝送効率を高めるＨＤＲ（Ｈｉｇｈ　Ｄａｔａ　Ｒａｔｅ）技術が提案されている。このＨＤＲ技術では、基地局が送信したパイロット信号を各通信端末が受信し、各通信端末はパイロット信号に基づくＣＩＲ（Ｃａｒｒｉｅｒ　Ｔｏ　Ｉｎｔｅｒｆｅｒｅｎｃｅ　Ｒａｔｉｏ：キャリア信号電力対干渉信号電力比）などにより下り回線の通信品質を測定し、ＣＩＲ値に応じたデータ伝送レート要求（データレートコントロール：ＤＲＣ）信号を基地局に送信する。基地局は、各通信端末から受信したレート要求信号に基づいてスケジューリングを行い、各通信端末に送信するデータレートを決定する。
このように、ＨＤＲ技術においては、伝送レートが高い通信端末には優先的に通信リソースを割り振るなど、通信品質に従って通信端末毎に伝送レートを設定することで伝送効率を高めている。
【０００９】
【発明が解決しようとする課題】
ところで、携帯電話機３１からサーバ３９のコンテンツをリアルタイムに閲覧する場合、サーバ３９から携帯電話機３１に送出されてくるパケットサイズは通常一定であるため、携帯電話機３１の移動に伴い通信品質（電界強度、エラーレートなど）が悪化したとき、携帯電話機３１はサーバ３９からのデータを正しく受信できずに、データ再送手順が実行される。この場合、リアルタイム性を失ったデータは破棄されることもある。
【００１０】
ＨＤＲ技術においては、通信端末からのレート要求信号（ＤＲＣ）に基づいて基地局が各通信端末に送信するデータレートを決定する。そのため、通信端末はバースト性ノイズ等の影響により一時的に低レートの要求信号（ＤＲＣ）を送信することがあり、その直後にＣＩＲが回復したにも拘わらず、実際の伝送レート（データレート）が低いままに設定される場合がある。
また、このようなバースト性ノイズの影響を軽減するようにレート要求信号（ＤＲＣ）の移動平均値に基づいてデータレートを設定する方式がある。
しかしながら、この場合、バースト性ノイズの影響は軽減されるが、逆にハンドオーバーなどによりＣＩＲが急激に回復したときに、即座に伝送レートを高くするようにできないといった問題がある。
従って、例えばリアルタイムの映像を閲覧しているときに、映像や音声が一時的に止まったり、また、十分な通信品質であっても高品質の映像が得られなかったりといった虞がある。
【００１１】
本発明はこのような事情に鑑みてなされたもので、その目的とするところは、携帯端末へのデータ配信において、通信におけるエラーレートを大幅に軽減でき、とぎれのない安定したコンテンツ供給を実現することができる通信制御装置、通信制御方法、無線通信システム及び携帯端末を提供することにある。
【００１２】
【課題を解決するための手段】
上記目的を達成するために、本発明は、位置情報と、該位置における通信品質情報とを予め対応付けて格納する記憶手段と、携帯端末の位置情報に基づいて、該携帯端末が所定のデータを受け取る位置を予測する位置予測手段と、前記予測位置における通信品質情報を前記記憶手段から参照する通信品質参照手段と、参照した通信品質情報に基づいて、前記所定のデータを送信する伝送レート又はパケット長を制御する通信制御手段とを具備する通信制御装置を提供する。
【００１３】
このように、次のパケットデータ（所定のデータ）を受信するであろう携帯端末の位置を予測し、その位置における通信品質（電界強度やＣＩＲなど）を予め位置情報と通信品質情報とを対応させて記憶しているデータベースから参照することで、上記次のパケットデータを受信するであろう位置における通信品質に基づき携帯端末に送信する伝送レート（データレート）やパケット長を制御するので、エラーの発生を大幅に低減させることが可能となり、効率よくデータ送信を行うことができる。これにより、特に、受信と同時に再生を行うようなストリーミング再生の場合には、とぎれのない安定したコンテンツ供給を行うことが可能となる。
【００１４】
また、上記記載の通信制御装置は、携帯端末が通知する通信品質情報と前記位置情報に基づいて、前記記憶手段に格納された通信品質情報を更新する更新手段を備えることを特徴とする。
【００１５】
このように、携帯端末が通知する位置情報と通信品質情報に基づいて、記憶手段に格納されている地理的情報を更新するので、常に最新の通信品質情報を把握することができる。
【００１６】
また、本発明は、携帯端末の位置情報に基づいて、該携帯端末が所定のデータを受け取る位置を予測する第１の過程と、予め位置と対応付けて通信品質情報を格納しているデータベースから前記予測位置における通信品質情報を参照する第２の過程と、該予測位置における通信品質情報に基づいて、前記所定のデータを送信する伝送レート又はパケット長を制御する第３の過程と、を具備する通信制御方法を提供する。
【００１７】
また、本発明は、携帯端末と、該携帯端末と無線ネットワークとの間の通信を制御する通信制御装置とからなる無線通信システムであって、前記携帯端末は、位置を特定するための第１の信号を受信する受信手段と、前記受信した第１の信号に基づいて第２の信号を前記通信制御装置へ送信する送信手段とを備え、前記通信制御装置は、位置情報と該位置における通信品質情報とを対応付けて格納する記憶手段と、前記携帯端末から受信した前記第２の信号に基づいて、該携帯端末が所定のデータを受け取る位置を予測する位置予測手段と、前記予測位置における通信品質情報を前記記憶手段から参照する通信品質参照手段と、参照した通信品質情報に基づいて、前記所定のデータを送信する伝送レート又はパケット長を制御する通信制御手段とを備えることを特徴とする無線通信システムを提供する。
【００１８】
また、本発明は、位置特定のための第１の信号を受信する受信手段と、前記受信した第１の信号に基づいて第２の信号を送信する送信手段と、該第２の信号に基づいて制御された所定の形式でデータを受信処理できるよう制御する制御手段とを具備する携帯端末を提供する。
【００１９】
本発明の携帯端末としては、いわゆるＣＤＭＡ（符号分割多重接続）方式やＰＤＣ（Ｐｅｒｓｏｎａｌ　Ｄｉｇｉｔａｌ　Ｃｅｌｌｕｌａｒ　Ｓｙｓｔｅｍ）方式などの携帯電話機やＰＨＳ（Ｐｅｒｓｏｎａｌ　Ｈａｎｄｙｐｈｏｎｅ　Ｓｙｓｔｅｍ）のほか、ＰＤＡ（Ｐｅｒｓｏｎａｌ　Ｄｉｇｉｔａｌ　Ａｓｓｉｓｔａｎｔｓ：個人用情報機器）と称される携帯型の端末も含むものとする。また、ＰＤＡの場合、通信手段を内蔵していてもよく、外部から通信手段を接続するものであってもよい。
【００２０】
【発明の実施の形態】
以下、図面を参照し、本発明の一実施形態について説明する。
図１は、本発明の一実施形態に係る無線通信システムの構成を示したブロック図である。
【００２１】
同図において、携帯端末１５は、基本的な音声通信機能だけではなく、電子メールやブラウザ機能などを有しており、無線電話事業を運営する通信事業者が設置する無線基地局２と電波により通信する。
また、携帯端末１５は、ＧＰＳ（Ｇｌｏｂａｌ　Ｐｏｓｉｔｉｏｎｉｎｇ　Ｓｙｓｔｅｍ）衛星１４により、現在位置の情報を得るＧＰＳ処理部１６や、無線回線を介して情報を送受信するＲＦ処理部１７などを備えており、ＲＦ処理部１７が複数のＧＰＳ衛星１４からの信号（第１の信号）を受信し、ＧＰＳ処理部１６が受信した情報を処理することにより、自己の現在の位置情報を検出することができる。
【００２２】
無線基地局２は、位置登録された携帯端末１５と必要な信号を送受信する。
基地局制御装置３は、自己の配下にある複数の無線基地局２を制御、管理するとともに、本発明の通信制御装置２０を備えている。なお、通信制御装置２０の詳細については後述する。
【００２３】
移動交換機６は、基地局制御装置３を制御するとともに、ＰＳＴＮ（Ｐｕｂｌｉｃ　Ｓｗｉｔｃｈｅｄ　Ｔｅｌｅｐｈｏｎｅ　Ｎｅｔｗｏｒｋ）、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）などの通信網７や、インターネット８との接続などを行う。
これにより、携帯端末１５は、該無線基地局２から基地局制御装置３を介して移動交換機６に接続され、該移動交換機６から更に通信網７、インターネット８に接続することにより、サーバ９へアクセスすることができ、コンテンツ配信などのサーバ９が提供するサービスを受けることが可能となる。
なお、サーバ９は、インターネット８上に接続され、携帯端末１５の利用者が興味ある情報を提供する機能を有する。
【００２４】
次に、基地局制御装置３が備える通信制御装置２０について図２を参照して説明する。
図２は、通信制御装置２０の機能を展開して示した機能展開ブロック図である。この図に示すように、通信制御装置２０は、位置情報（経緯及び緯度）と該位置における通信品質とを関連づけて格納する地図データベース（以下、地図ＤＢ）２１と、携帯端末１５から受信する位置に関する信号（第２の信号）に基づいて、該携帯端末が次のパケットデータを受信するであろう位置（所定時刻における予測位置）を算出する位置予測機能部２２と、予測位置における通信品質を地図ＤＢ２１から参照する通信品質参照機能部２３と、参照した通信品質に基づいて、該携帯端末に送信するデータのデータレートを制御しながらパケットデータを携帯端末１５へ送出する通信制御機能部２４と、携帯端末１５から通知される通信品質に基づいて、地理ＤＢ２１の通信品質を更新する更新機能部２５とを備えている。
【００２５】
ここで、図３に通信制御装置２０の地図ＤＢ２１に格納されているデータの概念を示す。
例えば、本実施形態では、地図ＤＢ２１には、基地局制御装置３が制御する無線基地局２が管理するエリアの地図データが格納されており、その地図には、通信品質に応じていくつかの領域に区分され、領域毎に通信品質情報が登録されている。また、地図データと緯度・緯度からなる位置情報とは対応付けができており、緯度・経度が特定されれば、この地図データのどの領域に位置するのかを判別できるようになっている。
【００２６】
次に、図１に示した無線通信システムにおける無線通信方法について、図４を参照して説明する。
まず、携帯端末１５はＲＦ処理部１７及びＧＰＳ処理部１６により第１の信号を受信している。この第１の信号は携帯端末１５の位置を特定するために使用される信号であって、位置の特定方法は、携帯端末１５が第１の信号から得た情報を演算処理して位置を算出する場合と、第１の信号から得た情報を基地局制御装置３に送信して基地局制御装置３が演算処理して位置を算出する場合がある。以下、この第１の信号の情報又は該情報に基づく情報を「位置情報」とする。
携帯端末１５のユーザにより、コンテンツ配信要求の送信操作が行われると、携帯端末１５は位置情報と、現在位置における通信品質情報と、コンテンツ配信要求とからなる第２の信号を通信制御装置２０へ送信する。（ステップＳ１）。
【００２７】
通信制御装置２０は、携帯端末１５が送信する上記第２の信号を受信すると、該携帯端末１５の位置情報と通信品質情報とを保存するとともに、コンテンツ配信要求をサーバ９へ送信する（ステップＳ２）。
サーバ９は、携帯端末１５からのコンテンツ配信要求を受信すると、要求されたコンテンツデータをコンテンツ・データベースから取得し、取得したコンテンツデータはネットワークを介して通信制御装置２０へ送信する（ステップＳ３）。
【００２８】
サーバ９から送信されたコンテンツデータは、インターネット８、通信網７、移動交換機６を経由して基地局制御装置３へ届く。
一方、基地局制御装置３の通信制御装置２０において、通信品質参照機能部２３は、携帯端末１５の位置情報が２つ以上あるか否かを判断する。
この結果、位置情報が１つしか保存されていない場合、通信品質参照機能部２３は、この位置情報に該当する通信品質情報を地図ＤＢ２１から参照する（ステップＳ４）。そして、参照した通信品質情報を通信制御機能部２４へ出力する。
【００２９】
通信制御機能部２４は、通信品質参照機能部２３が出力した通信品質情報に基づいてそれに適したデータレートを算出し（ステップＳ５）、算出したデータレートに従って、サーバ９から受信したコンテンツデータを携帯端末１５へ向けて送信する（ステップＳ６）。
これにより、携帯端末１５がコンテンツ配信要求を送信したときの位置の通信品質に適したデータレートに従って、コンテンツデータが携帯端末１５へ無線基地局２を経由して送信される。
【００３０】
また、通信制御装置２０の更新機能部２５は、ステップＳ１において携帯端末１５の位置情報及び通信品質情報に基づいて、地図ＤＢ２１の内容を更新する（ステップＳ７）。
例えば、携帯端末１５が図３に示すＱの位置に存在していた場合、携帯端末１５から受信した通信品質情報は、位置Ｑの通信品質ということになる。このとき、図３から位置Ｑの領域Ａの通信品質はαであるが、実際に携帯端末１５から通知された通信品質が著しく悪くγであった場合には、地図ＤＢ２１に登録されている内容を更新する。
【００３１】
即ち、位置Ｑにおける通信品質の登録内容をαからγへ変更する。このように、実際に携帯端末１５から通知された通信品質情報に基づいて地図ＤＢ２１の情報を更新していくことにより、最新の正確な通信品質情報を保有することができる。
なお、上述したように毎回地図ＤＢ２１の情報を更新する方法の他、同一の位置情報に対する通信品質情報を何回分か蓄積しておき、所定の回数分蓄積された時点でその平均を算出し、その平均に基づいて地図ＤＢ２１の通信品質情報を変更するようにしても良い。このように、複数のデータに基づいてデータ更新を行うことにより、より更新後の情報を信憑性の高いもの、正確な情報とすることができる。
【００３２】
次に、サーバ９から配信されたコンテンツデータを受信した携帯端末１５は、ＡＣＫ（ａｃｋｎｏｗｌｅｄｇｅ：受信確認用返信コード）と、上述した位置情報と、通信品質情報とからなる信号を送信する（ステップＳ８）。
通信制御装置２０は、携帯端末１５から上記信号を受信すると、該携帯端末１５の位置情報と通信品質情報とを対応付けて保存するとともに、ＡＣＫをサーバ９へ送信する（ステップＳ９）。
サーバ９は、ＡＣＫを受信すると、先ほど送信したコンテンツデータの続きをネットワークを介して通信制御装置２０へ送信する（ステップＳ１０）。
【００３３】
一方、基地局制御装置３の通信制御装置２０において、通信品質参照機能部２３は、携帯端末１５の位置情報が２つ以上あるか否かを判断する。
この結果、位置情報が２つ以上存在する場合、通信品質参照機能部２３は、最新の位置情報、即ちステップＳ８において受信した位置情報と、その１つ前に受信した位置情報、即ちステップＳ１において受信した位置情報とを比較することにより、移動ベクトル（移動方向と移動速度）を求め、所定時間後に携帯端末が存在するであろうところの位置（次のパケットデータを受信するであろう位置）を予測する（ステップＳ１１）。
そして、予測した位置（以下、予測位置とする）における通信品質情報を地図ＤＢ２１から参照し、この通信品質情報を通信制御機能部２４へ出力する（ステップＳ１２）。
【００３４】
通信制御機能部２４は、通信品質参照機能部２３から供給された通信品質情報に応じてデータレートを所定の手法により算出し（ステップＳ１３）、算出したデータレートに従って、次のパケットデータを携帯端末１５へ送信する（ステップＳ１４）。
これにより、携帯端末１５は、次のパケットデータを受信する位置における通信品質に適したデータレートでパケットデータを受信することができる。
また、更新機能部２５は、上述と同様の処理により、地図ＤＢ２１の内容を更新する（ステップＳ１５）。
【００３５】
そして、上述した携帯端末、サーバ９、基地局制御装置３の通信制御装置２０は、コンテンツ配信が終了するまで、或いは、何らかの原因で回線接続が切断されるまで、上述したステップＳ７〜Ｓ１４の処理を繰り返し行う。
【００３６】
以上説明したように、本実施形態に係る無線通信システムによれば、携帯端末１５の位置情報に基づいて、携帯端末がパケットデータを受信する位置を予測し、予測した位置における通信品質に適したデータレートにより、携帯端末１５へのデータ送信を行う。
【００３７】
このように、データ配信側では、送出したデータを受信するであろう場所の通信品質に基づき適切なデータレートでデータを送信するため、携帯端末１５は各々受信環境に適したデータレートでデータを受信できる。従って、伝送エラーレートを大幅に軽減でき、とぎれのない安定したコンテンツ配信を実現することができる。
【００３８】
更に、更新機能部２５は、携帯端末１５の位置情報と通信品質情報とに基づいて、地図ＤＢ２１の内容を更新するので、常に正確な通信品質情報を保有することができる。これにより、各携帯端末に対し常に適切なデータレートでデータを送信することが可能となる。
【００３９】
なお、本実施形態では、通信品質に適応してデータレートを制御する場合について説明したが、これに限らず、送信パケットのパケット長を適応制御するようにしても良い。
例えば、通信品質が低いときには、パケット長を短くし、パケットエラーを防止することでパケットの再送確率の低減を図る方法も本発明に含まれる。
【００４０】
なお、基地局制御装置がデータレート又はパケット長を変更してデータを送信する時にデータのヘッダー領域にデータレートやパケット長の情報を付加して携帯端末に通知する場合は、携帯端末は受信データを誤認識しないよう若しくは受信エラーとならないようヘッダー領域に付加されているデータレートやパケット長の情報に応じて所定の形式でデータを正しく受信出来るよう制御しておかなければならない。
【００４１】
また、ＨＤＲシステムにおいても本発明の通信制御装置を適用することが可能である。
この場合、通信制御装置は、携帯端末が無線基地局に通知するＤＲＣを予め位置情報と対応させて地図ＤＢ２１に登録するとともに携帯端末の移動に伴い、上述した方法によりＤＲＣの更新も行う。そして、地図ＤＢ２１の登録情報に基づき予測位置でのＤＲＣを参照し、上述した実施形態のように、データレート又はパケット長を制御し、所定の形式でデータを送受信する。
なお、ＨＤＲの標準化規格はｃｄｍａ２０００　１ｘ−ＥＶ　ＤＯである。このｃｄｍａ２０００　１ｘ−ＥＶ　ＤＯ方式は、日本国内では、電波産業会ＡＲＩＢにおいてＳＴＤ−Ｔ−６４　ＣＤＭＡ２０００　Ｃ．Ｓ．００２４“ｃｄｍａ２０００　Ｈｉｇｈ　Ｒａｔｅ　Ｐａｃｋｅｔ　Ｄａｔａ　Ａｉｒ　Ｉｎｔｅｒｆａｃｅ　Ｓｐｅｃｉｆｉｃａｔｉｏｎ”で標準化されているものである。ｃｄｍａ２０００　１ｘ−ＥＶ　ＤＯ方式は、日本国内におけるＡＲＩＢ　ＳＴＤ−Ｔ−５８（８００ＭＨｚ帯）、ＳＴＤ−Ｔ−６４（２ＧＨｚ帯）、また、北米・韓国などでは、ＥＩＡ／ＴＩＡ／ＩＳ−９５などを拡張したものであり、第３世代方式（３Ｇ）に対応させ、データ通信に特化して通信速度を改善することを目的とした方式である。
【００４２】
また、本実施形態では、地図ＤＢ２１をエリア毎に分散管理するように通信制御装置２０を基地局制御装置３（ＢＳＣ：Ｂａｓｅ　Ｓｔａｔｉｏｎ　Ｃｏｎｔｒｏｌｌｅｒ）が供えている例を記載しているが、システム設計によっては、例えば、基地局（ＢＴＳ：Ｂａｓｅ　Ｔｒａｎｓｃｅｉｖｅｒ　Ｓｔａｔｉｏｎ）や図示しない移動通信交換局ＭＳＣ（ＭｏｂｌｅｓｅｒｖｉｃｅＳｗｉｔｃｈｉｎｇ　Ｃｅｎｔｅｒ）内に設けても良い。また、システム内に１つだけ通信制御装置を設けて運用しても良い。更に、サーバ９に通信制御装置２０を設けても良い。
【００４３】
また、本実施形態では、携帯端末の位置特定の方法をＧＰＳ衛星から受信する信号に基づいて携帯端末又は基地局制御装置が位置を算出しているが、幾つかの異なった基地局との間で伝送された信号に基づいて位置を特定するシステムの場合、第１の信号は基地局から送信される信号（例えばパイロット信号）を示し、第２の信号に含まれる位置情報は、前記第１の信号の伝播時間、到達時間、又はこれら時間に基づいて演算した情報などを示す。尚、第１の信号を受信した携帯端末が所定のタイミングで信号を送信し、該信号を受信した基地局が伝播時間又は到達時間などを算出して位置を特定するシステムの場合は、携帯端末が所定のタイミングで送信する信号が第２の信号に相当する。従って、本発明における第１の信号とは、携帯端末の位置を特定するために携帯端末が受信する信号であり、第２の信号とは、位置情報若しくは位置を算出するための情報を含んだ信号である。
【００４４】
また、図２に示した本実施形態における通信制御装置２０の位置予測機能部２２、通信品質参照機能部２３、通信制御機能部２４、及び更新機能部２５の機能を実現するためのプログラムをコンピュータ読み取り可能な記録媒体に記録して、この記録媒体に記録されたプログラムをコンピュータシステムに読み込ませ、実行することにより各種の処理を実行してもよい。
なお、ここでいう「コンピュータシステム」とは、ＯＳや周辺機器等のハードウェアを含むものとする。
【００４５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４７】
以上、この発明の実施形態を図面を参照して詳述してきたが、具体的な構成はこの実施形態に限られるものではなく、この発明の要旨を逸脱しない範囲の設計等も含まれる。
【００４８】
【発明の効果】
以上説明したように、本発明の通信制御装置によれば、携帯端末から通知された位置情報に基づいて、携帯端末の移動先を予測し、予測した位置における通信品質に基づいたデータレート又はパケット長により、携帯端末へのデータ送信を行うので、通信におけるエラーレートを大幅に軽減でき、とぎれのない安定したデータ供給を実現することができる。
更に、携帯端末から通知される通信品質に基づいて、予め位置情報に対応して登録されている通信品質情報を更新することにより、常に、最新の通信品質情報を保有することができ、正確な通信品質に応じたデータ送信を行うことが可能となる。
【図面の簡単な説明】
【図１】本発明の一実施形態に係る無線通信システムの構成を示すブロック図である。
【図２】同実施形態に係る通信制御装置の構成を示す図である。
【図３】通信制御装置の地図ＤＢに格納されているデータの概念を示した図である。
【図４】同実施形態における携帯端末、サーバ、基地局制御装置の動作を示すタイムチャートである。
【図５】一般的な移動体体通信システムのシステム構成を示す図である。
【符号の説明】
２　無線基地局
３　基地局制御装置
６　移動交換機
７　通信網
８　インターネット
９　サーバ
１４　ＧＰＳ衛星
１５　携帯端末
１６　ＧＰＳ処理部
１７　ＲＦ処理部
１８　制御手段
２０　通信制御装置
２１　地図ＤＢ
２２　位置予測機能部
２３　通信品質参照機能部
２４　通信制御機能部
２５　更新機能部
【図１】
2004064538.tif 000003
【図２】
2004064538.tif 000004
【図３】
2004064538.tif 000005
【図４】
2004064538.tif 000006
【図５】
2004064538.tif 000007